(57)【要約】      （修正有）【課題】指圧のような刺激を機械的に与えることが出来るマッサージ器を提供する。【解決手段】ケース１の内部に納められたモータ２の回転軸にカム３１が取り付けられており、このカムの位置に対応するケースの壁面部分に開孔部１１が設けられていると共に、この開孔部にカムの突出部が接触することにより押し出される指圧突起３が填め込んだ。また前記指圧突起と前記カムとの間に柔軟な筒体を、前記カムの突出部が前記筒体の前記指圧突起がある位置に接触することによって前記指圧突起が前記開孔部から押し出されるように構成した。モータの回転軸から出力される回転は円運動であるが、これによってカムが回転し、このカムの動作がカムの突出部を介して指圧突起に伝達され、指圧突起が間欠的に押し出されて、これに触れる身体の部位を機械的に指圧する。【選択図】図１
0003170366.tif 000002
【実用新案登録請求の範囲】
【請求項１】
ケースの内部に納められたモータの回転軸にカムが取り付けられており、このカムの位置に対応するケース壁面に開孔部が設けられていると共に、この開孔部にカムの突出部が接触することによって押し出される指圧突起が填め込まれていることを特徴とする、指圧突起を備えたマッサージ器。
【請求項２】
ケースの内部に納められたモータの回転軸にカムが取り付けられており、このカムの位置に対応するケース壁面に開孔部が設けられていると共に、この開孔部に指圧突起が填め込まれており、この指圧突起と前記カムとの間に柔軟な筒体があって、前記カムの突出部が前記筒体の前記指圧突起がある位置に接触することによって前記指圧突起が前記開孔部から押し出されるように構成されていることを特徴とする、指圧突起を備えたマッサージ器。
【請求項３】
モータの回転軸に複数個のカムが取り付けられており、その各々に対応させて前記開孔部と前記指圧突起とが設けられている、請求項１または請求項２に記載の指圧突起を備えたマッサージ器。
【請求項４】
前記複数個のカムが、その突出部の位置をずらすようにしてモータの回転軸に取り付けられている、請求項３に記載の指圧突起を備えたマッサージ器。
【請求項５】
前記複数個のカムの内にその突出部の数の異なるものが取り付けられている、請求項３に記載の指圧突起を備えたマッサージ器。
【考案の詳細な説明】
【技術分野】
【０００１】  この考案は、ケースに指圧突起を備えることによって身体患部を効果的に指圧することが出来るようなハンディータイプのマッサージ器に関する。
【背景技術】
【０００２】  従来より、肩や背中などの患部を指先で揉んで凝りを解したり、指圧することが行われている。また棒状のケースの内部にバイブレータを内蔵し、この振動で凝りを解そうと言うバイブレータが提供されている。このバイブレータはモータに片持ち状態に取り付けた重りを回転させて振動を発生させるものである。
【考案の概要】
【考案が解決しようとする課題】
【０００３】  上述したような指先を用いて人力で患部を揉んだり押したりするのでは、すぐに指先が疲れたり痛くなったりして長続きがしないと言う問題がある。また機械で行うにしても指で押しているような刺激が欲しいと言う要求も多い。【０００４】  この考案は上述のような問題点を解決して、指圧のような刺激を機械的に与えることが出来るようなマッサージ器を提供しようと言うものである。
【課題を解決するための手段】
【０００５】  このためこの考案では、ケースの内部に納められたモータの回転軸にカムが取り付けられており、このカムの位置に対応するケース壁面に開孔部が設けられていると共に、この開孔部にカムの突出部が接触することによって押し出される指圧突起が填め込まれていることを特徴とする、指圧突起を備えたマッサージ器を提供する。なお前記モータには、電源となる電池と前記モータをＯＮ／ＯＦＦするスイッチとが接続されている。【０００６】  モータの回転軸から出力される回転は円運動であるが、これによってカムが回転し、このカムの動作がカムの突出部を介して指圧突起に伝達され、指圧突起が間欠的に押し出される。これにより指圧突起が肩や背中などの筋肉に対して指圧するような刺激を与えることが可能となり、効果的なマッサージ効果が得られるのである。このような間欠的に押し出される指圧突起によるマッサージと言うものは珍しい感覚のものである。【０００７】  なおカムの突出部の大きさや形状を変えることで指圧突起による指圧力や指圧パターンに変化を与えることができる。またカムの突出部に押されていない時には指圧突起には力が働いていないが、これをバネなどを介在させることによってカムの突出部に押されていない時には戻るように付勢するように構成することも可能である。また指圧突起の形状や素材の選択に付いては任意である。【０００８】  またこの考案では、ケースの内部に納められたモータの回転軸にカムが取り付けられており、このカムの位置に対応するケース壁面に開孔部が設けられていると共に、この開孔部に指圧突起が填め込まれており、この指圧突起と前記カムとの間に柔軟な筒体があって、前記カムの突出部が前記筒体の前記指圧突起がある位置に接触することによって前記指圧突起が前記開孔部から押し出されるように構成されていることを特徴とする、指圧突起を備えたマッサージ器を提供する。なお前記モータには、電源となる電池と前記モータをＯＮ／ＯＦＦするスイッチとが接続されている。【０００９】  このマッサージ器にあっても、カムの回転運動がカムの突出部を介して指圧突起に伝達され、指圧突起が間欠的に押し出されることに変わりはないが、指圧突起と前記カムとの間に柔軟な筒体が介在しており、この筒体を介して指圧突起が押し出される点で異なる。従って前記カムはこの筒体の内側を滑るようにして回転するために動作が極めて円滑である。なお指圧突起の前記カムの突出部に押される側が筒状体に接着されている構成としても良いが、独立している構成としても良い。【００１０】  次に上述したような指圧突起を備えたマッサージ器に於いて、モータの回転軸に複数個のカムが取り付けられており、その各々に対応させて前記開孔部と指圧突起とが設けられているものとすることが出来る。モータの回転軸の長手方向に沿ってカムが並ぶが、これに対応して複数個の指圧突起が並んでいるため、より広い範囲に指圧作用を加えることが出来る。【００１１】  このことに関連して、前記複数個のカムが、その突出部の位置をずらすようにしてモータの回転軸に取り付けられているものとしても良い。例えばカムが２回対称の位置にカムの突出部を備えているものでは、このカムに隣合うカムを突出部の方向が直���となるように配置するのである。するとカムの突出部が回って来た側の指圧突起は押し出される。この時に隣合うカムの側では突出部は指圧突起の位置になく指圧突起に力は加えられないが、この後モータの回転軸が９０度回転するとカムの突出部が回って来て指圧突起が押し出されるようになる。従って隣合うカムは間欠的に且つ交互に指圧突起が肩や背中などの患部に対して指圧するような刺激を与えることになる。【００１２】  また前記複数個のカムの内にその突出部の数の異なるものが取り付けられているものとしても良い。例えばあるカムは３回対称の位置にカムの突出部を備えており、また他のカムは４回対称の位置にカムの突出部を備えている、などとするのである。これにより何れのカムも間欠的にではあるが、しかし指圧突起を押し出すタイミングが異なることになり、部分部分で異なる刺激を与えることが出来るのである。【００１３】  なお、この考案のマッサージ器に於いて、ケースを覆うための柔軟な素材から成るカバーが掛けられているものとすることが出来る。このカバーにはゴム素材のもの、プラスチック素材のもの、布素材のものなどで柔軟なものが任意に利用可能である。皮膚に触れる指圧突起が前記カバーで覆われているために当たりがソフトなものと成り、効果的なマッサージ作用が得られる。或いは好みのカバーに交換し得るように、カバーをケースに対して着脱自在とするなどもよい。このような構成であるため、肩や背中などの患部に対してはこのカバーの裏側から指圧するようになる。従ってこのようなカバーを介しての当たりはソフトなものであり、やはり心地良いものである。
【考案の効果】
【００１４】  この考案によれば、患部に対して指圧のような刺激を機械的に効果的に与えることが出来るような、ハンディータイプのマッサージ器を提供することに成功している。
【図面の簡単な説明】
【００１５】
【図１】  実施例１の説明図である。
【図２】  動作状態の説明図である。
【図３】  動作状態の説明図である。
【図４】  実施例２の説明図である。
【図５】  実施例３のカム６の説明図である。
【図６】  実施例４のカム６０の説明図である。
【図７】  実施例５のカム６１の説明図である。
【図８】  実施例６の説明図である。
【考案を実施するための形態】
【実施例１】
【００１６】  図１乃至図３はこの発明の実施例１のマッサージ器を表したものである。細長い棒状を呈するケース１の周囲壁部に設けた開孔部１１から指圧突起３が突出しており、ケース１内部に設けたモータ２を動力に、この指圧突起３で肩や背中などの患部に指圧刺激を加えるものである。【００１７】  このケース１は、その底部に、図示しないコントローラ兼電池ボックスを取り付けることが出来る接続部１３が設けられている。この接続部１３より先方にはモータ２が納められている。このモータ２のシャフトはギヤボックス２１に接続されており、ここで減速された回転力が回転軸２２に出力されるように成っている。なおケース１は縦２分割に成型されて成るものであり、これ等を合わせてネジ孔１２で止めてケース１が組み立てられている。またモータ２のリード線２０は接続部１３の部位の隔壁から引き出されて、上述したコントローラ兼電池ボックスに接続されている。電池ボックスには乾電池が収納されている。またコントローラはモータ２の回転数を制御するための、すなわち指圧突起３に圧力を加えるリズムを制御するためのスライダックを備えている（図示せず）。【００１８】  ケース１内の前記回転軸２２の先方には、指圧突起３回りの構成を納める隔壁１０が形成されている。この隔壁１０の間に前記回転軸２２に取り付けられたカム３０が回転自在に納められている。この実施例に於けるカム３１は楕円形状を呈しており、図２及び図３から明らかなように直径の大きな部分と小さな部分とから成る。従ってこの考案で言うところのカムの突出部とはカム３１では直径の大きな部分と言うことになる。またこのカム３１に対応させてケース１の周囲壁部の４回対称の位置に開孔部１１が形成されており、ここに内側から指圧突起３が挿着されている。この指圧突起３は、指圧突起３よりも幅広の受圧板３０を備えているため開孔部１１から外へ飛び出すようなことはない。【００１９】  従ってモータ２の回転に伴って回転軸２２が回転するとカム３１が回転し、カム３１の突出部が前記受圧板３０を押した時に、指圧突起３が外方向に押し出されることになる。またカム３１の突出部が前記受圧板３０に作用しなくなった時に、指圧突起３を押し出そうとする力が指圧突起３に働かなくなるのである。このようにして指圧突起３が力を加えられたり解放されたりすることによって、肩や背中などの身体患部に指圧刺激を加えることが出来るのである。なおこの実施例のマッサージ器では、ケース１に図示しないコントローラ兼電池ボックスが取り付けられた後で、鎖線で示すようなシリコン樹脂製のカバー４が掛けられる。従って前記指圧突起３による指圧刺激は、このカバー４を介して身体患部に加えられることになる。【００２０】  図２では４回対称の位置に設けられている４つの指圧突起３に付き、図の左右側の指圧突起３，３にカム３１の突出部の力が図の矢印の方向に加わっており、図の上下側の指圧突起にはカム３１の突出部の力が加えられていない状態（この状態のカムに符号３’を振った）が表わされている。この後にカム３１の回転に伴なって次のような変化が生ずる。すなわちカム３１が４分の１回転すると、カム３１の突出部が図３で表わした位置に来るが、これに��って図の上下側の指圧突起３，３にカム３１の突出部の力が図の矢印の方向に加わるようになり、他方で図の左右側の指圧突起にはカム３１の突出部の力が加わらない状態（上記同様この状態のカムに符号３’を振った）になるのである。このような一連の動作がモータ２の回転に伴ってリズミカルに繰り返される。【００２１】  この結果このケース１が肩や背中の筋肉に当っていれば、力が加えられたり、力が加えられなくなったりする指圧突起３によってリズミカルな指圧刺激が与えられることになり、今までにない感覚のマッサージ効果を与えることが出来るのである。
【実施例２】
【００２２】  図４はこの発明の第２実施形態のマッサージ器を表したものである。肩や背中などの身体表面に当てたり、屈折させた脚の膝の裏側などに挿入することが可能な形状の、ケース１の周囲壁部の４回対称の位置に設けた開孔部１１から指圧突起３が突出しており、ケース１内部に設けたモータ２を動力にしてこの指圧突起３で身体各部に指圧刺激を加えるものであり、上述した実施例１のマッサージ器に設けられているカム３１と指圧突起３との組をケース１の長手方向に３組設けている点に特徴を有するものである。図４（ａ）は半割りされたケース１の上述の各部品が組み込まれた側を表わしたものであり、（ｂ）はもう片側のケース１を表わしたものである。ここで分解して表わした（ａ）（ｂ）のケースが互いに組み付けられて１つのマッサージ器が完成すると言うわけである。【００２３】  ケース１内に於いて隔壁１０は、指圧突起３回りの構成を３組分納めることが出来るように設けられている。そして前記回転軸２２には３つのカム３１の内の中央の１つが他のカムに比して回転方向に９０度回転した状態で取り付けられている。【００２４】  このように構成されていることにより、回転軸２２の回転に伴なって４方向３列に配置された指圧突起３がリズミカルに押し出されたり、力が加えられなくなったりする。すなわちケース１の先端部に近い側のカム３１の突出部の力が図の左右側の指圧突起３，３に加わった時には、図には現われていない手前側と奥側の指圧突起（３’，３’）にはカム３１の突出部の力が加えられていない。これと同様の状態は、ケース１の後端部に近い側の指圧突起に付いても生じている。これに対して中央部分のカム３１に関してはカム３１が他のカムに比して回転方向に９０度回転した状態で取り付けられていることによって、カム３１の突出部の力は図には現われていない手前側と奥側との指圧突起に加えられている。従って図の左右側にはカム３１の突出部の力が加えられていない指圧突起３’，３’が描かれているのである。【００２５】  従って４方向３列に配置された指圧突起３により、身体各部にはより複雑でかつ広範囲な指圧刺激を与え得ることがこの実施例の特長となっている。これによって今までにない感覚のマッサージ効果を与えることが出来るのである。
【実施例３】
【００２６】  図５はこの考案の実施例３のカム６を表わしたものである。上述した実施例１及び実施例２に於けるカム３１の形状は、図２及び図３で表わされている通りであるが、このカムの形状を変えることで、指圧突起に加えられる押す力のリズムやパターンを変化させることが可能である。図５のカム６は角丸の三角形状を呈し、中心部分を前記回転軸２２に挿して固定するものである。【００２７】  このカム６の三角形状は突出部が３回対称の位置に来るようにデザインされている。従って回転軸２２が１回転する毎に図示しない指圧突起には、３回突出部が接触して力が加えられ押し出されることになる。
【実施例４】
【００２８】  図６はこの考案の実施例４のカム６０を表わしたものである。このカム６０は角丸の十字形状を呈している。このカム６０は突出部が４回対称の位置に在ることになり、指圧突起には回転軸２２が１回転する毎に４回力が加えられることになる。上述した実施例３と同様で、指圧突起に加えられる力のリズムが上述した実施例１や実施例２のものとは異なる。
【実施例５】
【００２９】  図７はこの考案の実施例５のカム６１を表わしたものである。このものは上述した実施例３の三角形状のカムの変形例であって、突出部は３回対称の位置に置かれているものの、３つある突出部の回転軸２２からの距離が異なるように設計されているものである。このことは回転軸２２を中心とする、鎖線で表わした同心円が３つあることにより了解される。従って回転軸２２が１回転する毎に指圧突起３には、等しい間隔で３回突出部が接触するが、指圧突起３を押し出す力には３種類の強弱が付くことになる点に特徴を有する。これによって身体各部には異なる強弱の刺激を等間隔で与えることが出来ると言う特長を生ずるのである。なお更に突出部を３回対称の位置からずらして設けることによって、指圧刺激に複雑度を加えることが可能である。【００３０】  ところでこの実施例の指圧突起３にはコイル状のバネ３２が取り付けられている。このバネ３２は内部に指圧突起３を通すようにして、前記受圧板３０とケース１の内壁との間に納められている。受圧板３０がカム６１の何れかの突出部に押されるとその力に応じた反発力が発生して指圧突起３を内方に引き戻そうとする。これによって受圧板３０からカム６１の突出部からの力が取り去られると、指圧突起３は積極的に内方に戻ろうとするのである。
【実施例６】
【００３１】  次に図８はこの実施例のマッサージ器を表わしたものである。このものは上述した実施例１のマッサージ器の指圧突起３とカム３１との間にポリプロピレン製になる柔軟な筒体５があって、この筒体５の表面に指圧突起３が受圧板３０を以て接着固定されている点に特徴を有する。カム３１はこの筒体５の裏面を擦るようにして回転する。【００３２】  カム３１の回転運動がカム３１の突出部（図８ではカム３１の左右側の部位）を介して指圧突起３に伝達され、指圧突起３は間欠的に押し出される。この際に指圧突起３とカム３１との間に柔軟な筒体５が介在しており、この筒体５を介して指圧突起３が押し出されるが、カム３１はこの筒体５の内側を滑るようにして回転するために動作が極めて円滑である。
【産業上の利用可能性】
【００３３】  この考案のマッサージ器は、頭髪の育毛用や美顔用として構成することが可能である。
【符号の説明】
【００３４】１    ケース
１０  隔壁
１１  開孔部
１２  ネジ孔
１３  接続部
２    モータ
２０  リード線
２１  ギヤボックス
２２  回転軸
３    指圧突起
３’  指圧突起
３０  受圧板
３１  カム
３２  バネ
４    カバー
５    筒体
６    カム
６０  カム
６１  カム
【図１】
0003170366.tif 000003
【図２】
0003170366.tif 000004
【図３】
0003170366.tif 000005
【図４】
0003170366.tif 000006
【図５】
0003170366.tif 000007
【図６】
0003170366.tif 000008
【図７】
0003170366.tif 000009
【図８】
0003170366.tif 000010